(57)【特許請求の範囲】
【請求項１】
トランスを有する第１の定電圧電源から電源電圧が印加されるシーケンス制御回路と、トランスを有する第２の定電圧電源から電源電圧が印加され前記シーケンス制御回路からの制御信号により制御される定電圧高電圧電源とを有する高電圧電源を備えた静電式画像形成装置において、前記定電圧高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離したことを特徴とする静電式画像形成装置。
【請求項２】
トランスを有する第１の定電圧電源から電源電圧が印加されるシーケンス制御回路と、トランスを有する第２の定電圧電源から電源電圧が印加され前記シーケンス制御回路からの制御信号により制御される定電流高電圧電源とを有する高電圧電源を備えた静電式画像形成装置において、前記定電流高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離したことを特徴とする静電式画像形成装置。
【請求項３】
トランスを有する第１の定電圧電源から電源電圧が印加されるシーケンス制御回路と、トランスを有する第２の定電圧電源から電源電圧が印加され前記シーケンス制御回路からの制御信号により制御される定電圧高電圧電源とを有する高電圧電源を備えた静電式画像形成装置において、前記定電圧高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離し、前記高電圧電源の出力を１次転写ローラと２次転写ローラとの間に印加するようにしたことを特徴とする静電式画像形成装置。
【請求項４】
トランスを有する第１の定電圧電源から電源電圧が印加されるシーケンス制御回路と、トランスを有する第２の定電圧電源から電源電圧が印加され前記シーケンス制御回路からの制御信号により制御される定電流高電圧電源とを有する高電圧電源を備えた静電式画像形成装置において、前記定電流高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離し、前記高電圧電源の出力を１次転写ローラと２次転写ローラとの間に印加するようにしたことを特徴とする静電式画像形成装置。
【発明の詳細な説明】
【０００１】
【発明の属する技術分野】
本発明は、複写機、プリンタ、ファクシミリ等の静電式画像形成装置に関する。
【０００２】
【従来の技術】
従来、静電式画像形成装置である電子写真装置は、多数の高電圧電源と、高電圧電極及び高電圧電極用コネクタを使用している。これらの高電圧電源と、高電圧電極及び高電圧電極用コネクタは、電子写真装置がカラー用電子写真装置になると、更に使用する数が数倍に増加する。また、現在の電子写真装置のシーケンス制御はマイクロコンピュータにより行われており、デジタルの電子写真装置は画像信号処理のために沢山の集積回路が使用されている。
【０００３】
図１３（ａ）は従来の電子写真装置の一部を示し、図１３（ｂ）はその転写チャージャ及び高電圧電極用コネクタを示す。感光ドラム２７Ｙは、図示しない駆動系により回転駆動されて帯電チャージャ２８Ｙにより一様に帯電され、図示しない画像露光用レーザ出射装置からのレーザ光２６Ｙにより露光されて静電潜像が形成される。この感光ドラム２７Ｙ上の静電潜像は現像装置２９Ｙで現像されてトナー像となり、感光ドラム２７Ｙ上の静電潜像の電荷が除電ランプ３０Ｙによりディスチャージされる。一方、図示しない給紙装置から転写紙が給紙され、この転写紙は転写チャージャ３１Ｙにより感光ドラム２７Ｙ上のトナー像が転写される。また、感光ドラム２７Ｙは転写位置通過後にクリーニング装置３２Ｙにより残留トナーが掻き落とされる。
【０００４】
帯電チャージャ２８Ｙ及び転写チャージャ３１Ｙの高電圧電極及びバックプレートはそれぞれ高電圧電極用コネクタ５１、５２及び高電圧ケーブルを介して高電圧電源５３、５４に接続され、この高電圧電源５３、５４から帯電チャージャ２８Ｙ及び転写チャージャ３１Ｙの高電圧電極及びバックプレート間に高電圧出力が印加される。
【０００５】
図１３（ｃ）に示すように、高電圧電源５４は、定電圧高電圧電源（定電圧制御回路）５５、フォトカプラ５６、トランス５７、ダイオード５８，５９、コンデンサ６０，６１、電圧検出手段としての９９．９ＭΩの抵抗６２、１００ＫΩの抵抗６３及び出力端子Ａ、Ｂを有する。定電圧高電圧電源５５は、定電圧電源６４から２４ＶのＡＣ電力が供給され、電子写真装置の各部のシーケンス制御を行うシーケンス制御回路６５からフォトカプラ５６を介して入力されるオン／オフ信号によりオン／オフ制御される。
【０００６】
定電圧高電圧電源５５からの２４ＶのＡＣ電圧は、トランス５７で所定の高電圧に変換されてダイオード５８，５９及びコンデンサ６０，６１により平滑されることで直流電圧に変換され、出力端子Ａ、Ｂから高電圧ケーブル及び高電圧電極用コネクタ５２を介して転写チャージャ３１Ｙの高電圧電極及びバックプレートの間に印加されるとともに抵抗６２、６３で分圧されることで検出されて定電圧高電圧電源５５にフィードバックされる。定電圧高電圧電源５５は、そのフィードバックされた電圧に基づいて出力電圧を制御する。
【０００７】
定電圧電源６４は商用電源からのＡＣ１００Ｖの電圧をＡＣ２４Ｖの電圧に変換して定電圧高電圧電源５５に出力し、定電圧電源６６は商用電源からのＡＣ１００Ｖの電圧をＤＣ５Ｖの電圧に変換してシーケンス制御回路６５に電源電圧として印加する。定電圧電源６４と定電圧高電圧電源５５の０Ｖ出力端子はグランドＧＮＤに接続され、出力端子ＢがグランドＧＮＤに接続されて定電圧電源６６とシーケンス制御回路６５の０Ｖ出力端子がグランドＧＮＤに接続される。
高電圧電源５３は上記高電圧電源５４と同様に構成され、高電圧電源５３内の定電圧高電圧電源はシーケンス制御回路６５からフォトカプラを介して入力されるオン／オフ信号によりオン／オフ制御される。
【０００８】
図１４（ａ）は従来の他の電子写真装置の一部を示し、図１３（ｂ）はその転写チャージャ及び高電圧電極用コネクタを示す。この電子写真装置では、上記電子写真装置において、高電圧電源５３、５４の代りに高電圧電源６７、６８が用いられる。高電圧電源６８は、上記高電圧電源５４において、定電圧高電圧電源５５の代りに定電流高電圧電源（定電流制御回路）６９が用いられる。
【０００９】
この定電流高電圧電源６９は、定電圧電源６４からＡＣ２４Ｖの電力が供給され、シーケンス制御回路６５からフォトカプラ５６を介して入力されるオン／オフ信号によりオン／オフ制御される。また、定電流高電圧電源６９は、定電圧電源６４からＡＣ２４Ｖの電力が供給されることにより定電流を発生して出力し、抵抗６２、６３により検出された出力電流値に基づいて出力電流を制御する。
【００１０】
【発明が解決しようとする課題】
電子写真装置では、高電圧電極で異常放電（火花放電）が起きると、ノイズが発生する。マイクロコンピュータや集積回路は、ノイズに対して弱く、火花放電が起きると、火花放電によるノイズにより誤動作してしまうことが度々ある。火花放電により発生するノイズは、高電圧電極に電気的に接続されている部分を伝わり、電子写真装置の制御回路（マイクロコンピュータや集積回路）に進入して制御回路の誤動作を誘発させる。
【００１１】
また、電子写真装置によっては、複数の高電圧電源からチャージャやローラに高電圧をそれぞれ印加する場合に複数の高電圧電源の０Ｖ出力端子（ベース）を共通にすると不具合が発生する場合があり、複数の高電圧電源の０Ｖ出力端子を共通にしたくない場合がある。これは、例えば、感光ドラムから中間転写体に現像済画像を転写（１次転写）し、その後、中間転写体から転写紙に画像を転写（２次転写）する場合である。
【００１２】
本発明は、ノイズによる誤動作を起きにくくすることができ、且つ、複数の高電圧電源の０Ｖ出力端子を共通にしたくない場合にも対応することができる静電式画像形成装置を提供することを目的とする。
【００１３】
【課題を解決するための手段】
上記目的を達成するため、請求項１に係る発明は、トランスを有する第１の定電圧電源から電源電圧が印加されるシーケンス制御回路と、トランスを有する第２の定電圧電源から電源電圧が印加され前記シーケンス制御回路からの制御信号により制御される定電圧高電圧電源とを有する高電圧電源を備えた静電式画像形成装置において、前記定電圧高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離したものである。
【００１４】
請求項２に係る発明は、トランスを有する第１の定電圧電源から電源電圧が印加されるシーケンス制御回路と、トランスを有する第２の定電圧電源から電源電圧が印加され前記シーケンス制御回路からの制御信号により制御される定電流高電圧電源とを有する高電圧電源を備えた静電式画像形成装置において、前記定電流高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離したものである。
【００１５】
請求項３に係る発明は、トランスを有する第１の定電圧電源から電源電圧が印加されるシーケンス制御回路と、トランスを有する第２の定電圧電源から電源電圧が印加され前記シーケンス制御回路からの制御信号により制御される定電圧高電圧電源とを有する高電圧電源を備えた静電式画像形成装置において、前記定電圧高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離し、前記高電圧電源の出力を１次転写ローラと２次転写ローラとの間に印加するようにしたものである。
【００１６】
請求項４に係る発明は、トランスを有する第１の定電圧電源から電源電圧が印加されるシーケンス制御回路と、トランスを有する第２の定電圧電源から電源電圧が印加され前記シーケンス制御回路からの制御信号により制御される定電流高電圧電源とを有する高電圧電源を備えた静電式画像形成装置において、前記定電流高電圧電源の高圧側０Ｖラインと前記シーケンス制御回路の０Ｖラインとを電気的に切り離すことで前記高電圧電源の高圧側と前記シーケンス制御回路とを電源線を経由して電気的に接続しないようにすることにより、前記高電圧電源の高圧側と前記シーケンス制御回路とを電気的に分離し、前記高電圧電源の出力を１次転写ローラと２次転写ローラとの間に印加するようにしたものである。
【００２３】
【発明の実施の形態】
図２は本発明の第１実施形態を示す。この第１実施形態は静電式画像形成装置としての複写機の一形態である。図示しない電源スイッチがオンされ、且つ、原稿搭載ガラス１上に原稿２がセットされた状態でコピースタートキー３が押下されると、コピー動作がスタートする。このコピー動作においては、まず、読み取り光Ｌを発する２つのランプ４が、移動ミラー５及び２つの反射器６とともに、図示しない駆動系によって駆動されて図中右方向への移動を開始する。また、図示しない駆動系によって移動ミラー７、８が駆動されて移動ミラー５の１／２の速度で同方向への移動を開始する。
【００２４】
２つのランプ４から発せられた読み取り光Ｌは、直接あるいは２つの反射器６を介して原稿搭載ガラス１上の原稿２を照射しながら図中右方向に移動する。そして、読み取り光Ｌは、原稿２、移動ミラー５、７、８で順次に反射されてレンズ９を透過し、ダイクロイックミラー１０内に進入して３原色毎に分解される。この色分解によって得られた青光、緑光、赤光は、それぞれＣＣＤ１１Ｂ、１１Ｇ、１１Ｒで青分解画像、緑分解画像、赤分解画像を結像する。ＣＣＤ１１Ｂ、１１Ｇ、１１Ｒは、それぞれ結像された分解画像の光量に応じた電圧値の信号を出力する。
【００２５】
図３は、本実施形態の複写機における画像信号の流れを示すブロック図である。ＣＣＤ１１Ｂ、１１Ｇ、１１Ｒからの微小な出力信号は、それぞれ増幅・Ａ／Ｄ変換回路１２Ｂ、１２Ｇ、１２Ｒ内で１画素毎に増幅された後、アナログ信号から例えば８ビットのデジタル信号に変換される。これらデジタル信号は、それぞれクロック発生回路１３からのクロック信号１４に同期して同期メモリ１５Ｂ、１５Ｇ、１５Ｒに青、緑、赤各色の画像信号として一時的に格納される。同期メモリー１５Ｂ、１５Ｇ、１５Ｒに格納された青、緑、赤各色の画像信号は、それぞれ同じ領域の画像を合成し得るようなタイミングで画像処理ユニット１６に送られる。
【００２６】
画像処理ユニット１６は、送られてくる青、緑、赤各色の画像信号に対して、γ補正、色濁り除去、下色除去補正、ブラック信号取り出し等の処理を施して、イエロー、マゼンタ、シアン、ブラックの各色の画像信号を得、これらイエロー、マゼンダ、シアン、ブラック各色の画像信号を、データセレクタ２１を介してレーザドライバ回路１８Ｙ、１８Ｍ、１８Ｃ、１８Ｋに送る。レーザドライバ回路１８Ｙ、１８Ｍ、１８Ｃ、１８Ｋは、受信した各色の画像信号の大きさに応じて、これらに１画素毎の時間変調処理を施して、レーザ光をそれぞれ出射する露光手段としての画像露光用レーザ出射装置１９Ｙ、１９Ｍ、１９Ｃ、１９Ｋを駆動する。この駆動により、画像露光用レーザ出射装置１９Ｙ、１９Ｍ、１９Ｃ、１９Ｋからレーザ光２０Ｙ、２０Ｍ、２０Ｃ、２０Ｋが発せられて、後述する画像形成手段としての画像形成部３３Ｙ、３３Ｍ、３３Ｃ、３３Ｋに送られる。
【００２７】
図２に示すように、イエロー画像形成部３３Ｙにおいて、画像露光用レーザ出射装置１９Ｙでは、上述のレーザ光２０Ｙは、スキャナモータ２５Ｙによって回転駆動されているポリゴンミラー２４Ｙで反射される。この反射されたレーザ光２０Ｙは等速で走査し得るような光学的補正処理がｆ・θレンズ７７Ｙによって施される。この光学的補正処理によって変調された書き込み光２６Ｙは、図示しない駆動系によって図中時計回りに回転駆動される像担持体としての感光体（ここでは感光ドラム）２７Ｙの表面をその回転方向と直交する方向に走査する。
【００２８】
感光ドラム２７Ｙ上の光書き込み開始位置よりもポリゴンミラー２４Ｙの回転方向の約１１［ｍｍ］上流側には、図示しないＢＤセンサ（フォトセンサ）が配設されており、このＢＤセンサがポリゴンミラー２４Ｙの回転に伴って書き込み光２６Ｙを検知すると、図示しない制御回路に向けてＢＤ信号を発信する。感光ドラム２７Ｙの周囲には、感光ドラム２７Ｙの表面を一様に帯電させる帯電装置２８Ｙ、現像装置２９Ｙ、除電ランプ３０Ｙ、転写手段としての転写チャージャ３１Ｙ、クリーニング装置３２Ｙ等が配設されている。
【００２９】
上述の画像露光用レーザ出射装置１９Ｙ、帯電装置２８Ｙ、現像装置２９Ｙは、感光ドラム２７Ｙにトナー像を形成するトナー像形成手段を構成している。  回転駆動に伴って帯電装置２８Ｙとの対向位置まで移動した感光ドラム２７Ｙの表面は、帯電装置２８Ｙによって一様に帯電された後、ポリゴンミラー２４Ｙとの対向位置まで移動する。そして、感光ドラム２７Ｙは、その対向位置で上述の書き込み光２６Ｙが照射され、これによって静電潜像が形成されてこれを担持する。
【００３０】
この静電潜像は、感光ドラム２７Ｙの回転に伴って現像装置２９Ｙとの対向位置である現像位置まで移動すると、現像装置２９Ｙから移動してくるイエロートナーが付着されてイエロートナー像に現像される。なお、現像剤としてイエロートナーを使用する現像装置２９Ｙは、いわゆる磁気ブレード方式によってイエロートナーを静電潜像に付着させる。
【００３１】
イエロートナー像が形成された感光ドラム２７Ｙの表面は、除電ランプ３０Ｙとの対向位置を通過する際に除電ランプ３０Ｙにより静電潜像の電荷がディスチャージされた後、転写チャージャ３１Ｙとの対向位置である転写位置まで移動する。
【００３２】
一方、複写機本体の下側には、従動ローラ３４と、図示しない駆動系によって図中反時計回りに回転駆動される駆動ローラ３５とに張架された搬送ベルト３６が配設されている。図中反時計回りに回転する搬送ベルト３６は、その回転経路が各色の画像形成部３３Ｙ、３３Ｍ、３３Ｃ、３３Ｋの各転写位置を経由するようになっている。
【００３３】
搬送ベルト３６の右側には、レジストローラ対３８、発光ダイオードと受光素子とからなるレジストセンサ３９、給紙ローラ４３、給紙カセット４４等が配設されている。シート状記録媒体としての転写紙５０は、給紙ローラ４３が図示しないモータで回転されることにより給紙カセット４４から取り出され、その先端がレジストセンサ３９を通過してから一定時間後に給紙ローラ４３の回転が停止することにより、レジストローラ対３８に咥え込まれた位置で待機する。
【００３４】
そして、転写位置まで移動した感光ドラム２７上のイエロートナー像は、該イエロートナー像とタイミングを合わせてレジストローラ対３８から送り出されて搬送ベルト３６で搬送されてきた転写紙５０と接触し、転写チャージャ３１Ｙにて搬送ベルト３６に高電圧の転写バイアスが印加されることにより、転写紙５０上に転写される。転写位置を通過した感光ドラム２７Ｙの表面は、クリーニング装置３２Ｙとの対向位置を通過する際に、転写紙５０上に転写されなかった残留トナーが掻き落とされる。そして、感光ドラム２７Ｙの表面は、再び帯電装置２８Ｙとの対向位置まで移動して帯電装置２８Ｙにより一様に帯電される。
【００３５】
他の画像形成部３３Ｃ、３３Ｍ、３３Ｋにおいては、それぞれ、画像露光用レーザ出射装置１９Ｍ、１９Ｃ、１９Ｋでは、画像露光用レーザ出射装置１９Ｙと同様に、上述のレーザ光２０Ｍ、２０Ｃ、２０Ｋは、スキャナモータ２５Ｍ、２５Ｃ、２５Ｋによって回転駆動されているポリゴンミラー２４Ｍ、２４Ｃ、２４Ｋで反射される。この反射されたレーザ光２０Ｙは等速で走査し得るような光学的補正処理がｆ・θレンズ７７Ｍ、７７Ｃ、７７Ｋによって施される。この光学的補正処理によって変調された書き込み光２６Ｍ、２６Ｃ、２６Ｋは、図示しない駆動系によって図中時計回りに回転駆動される像担持体としての感光体（ここでは感光ドラム）２７Ｍ、２７Ｃ、２７Ｋの表面をその回転方向と直交する方向に走査する。感光ドラム２７Ｍ、２７Ｃ、２７Ｋ上の光書き込み開始位置よりもポリゴンミラー２４Ｍ、２４Ｃ、２４Ｋの回転方向の約１１［ｍｍ］上流側には、図示しないＢＤセンサ（フォトセンサ）が配設されており、このＢＤセンサがポリゴンミラー２４Ｍ、２４Ｃ、２４Ｋの回転に伴って書き込み光２６Ｍ、２６Ｃ、２６Ｋを検知すると、図示しない制御回路に向けてＢＤ信号を発信する。
【００３６】
感光ドラム２７Ｃ、２７Ｍ、２７Ｋの周囲には、感光ドラム２７Ｃ、２７Ｍ、２７Ｋの表面を一様に帯電させる帯電装置２８Ｃ、２８Ｍ、２８Ｋと、現像装置２９Ｃ、２９Ｍ、２９Ｋと、除電ランプ３０Ｃ、３０Ｍ、３０Ｋと、転写手段としての転写チャージャ３１Ｃ、３１Ｍ、３１Ｋと、クリーニング装置３２Ｃ、３２Ｍ、３２Ｋ等が配設されている。画像露光用レーザ出射装置１９Ｃ、１９Ｍ、１９Ｋと、帯電装置２８Ｃ、２８Ｍ、２８Ｋと、現像装置２９Ｃ、２９Ｍ、２９Ｋは、感光ドラム２７Ｃ、２７Ｍ、２７Ｋにトナー像を形成するトナー像形成手段を構成している。
【００３７】
画像形成部３３Ｃ、３３Ｍ、３３Ｋは、それぞれ上記画像形成部３３Ｙと同様に作像動作を行うことによって各感光ドラム２７Ｃ、２７Ｍ、２７Ｋ上にシアントナー像、マゼンダトナー像、ブラックトナー像を形成し、これらのシアントナー像、マゼンダトナー像、ブラックトナー像が搬送ベルト３６上の転写紙５０に転写チャージャ３１Ｃ、３１Ｍ、３１Ｋによりイエロートナー像と互いに重ね合わせて転写されることで、フルカラー画像が形成される。
【００３８】
なお、現像装置２９Ｃ、２９Ｍ、２９Ｋは、それぞれシアントナー、マゼンダトナー、ブラックトナーを感光ドラム２７Ｃ、２７Ｍ、２７Ｋ上の静電潜像に付着させる。
また、搬送ベルト３６上の転写紙５０は、フルカラー画像の形成後に、定着装置３７内の加圧ローラ３７ａと加熱ローラ３７ｂとの間に搬送されてフルカラー画像の定着処理が施された後、機外へと排出される。
【００３９】
図１（ａ）は本実施形態における画像形成部３３Ｙの一部を示し、図１（ｂ）はその転写チャージャ及び高電圧電極用コネクタを示す。帯電チャージャ２８Ｙ及び転写チャージャ３１Ｙの高電圧電極及びバックプレートはそれぞれ高電圧電極用コネクタ５１、５２及び高電圧ケーブルを介して高電圧電源７０、７１に接続され、この高電圧電源７０、７１から帯電チャージャ２８Ｙ及び転写チャージャ３１Ｙの高電圧電極及びバックプレート間に高電圧出力が印加される。
【００４０】
図１（ｃ）に示すように、高電圧電源７１は、定電圧高電圧電源（定電圧制御回路）５５、フォトカプラ５６、トランス５７、ダイオード５８，５９、コンデンサ６０，６１、電圧検出手段としての９９．９ＭΩの抵抗６２、１００ＫΩの抵抗６３及び出力端子Ａ、Ｂを有する。定電圧高電圧電源５５は、定電圧電源６４からＡＣ２４Ｖの電力が供給され、電子写真装置の各部のシーケンス制御を行うシーケンス制御回路６５からフォトカプラ５６を介して入力されるオン／オフ信号によりオン／オフ制御される。
【００４１】
定電圧高電圧電源５５からのＡＣ２４Ｖの電圧は、トランス５７で所定の高電圧に変換されてダイオード５８，５９及びコンデンサ６０，６１により平滑されることで直流電圧に変換され、出力端子Ａ、Ｂから高電圧ケーブル及び高電圧電極用コネクタ５２を介して転写チャージャ３１Ｙの高電圧電極及びバックプレートの間に印加されるとともに抵抗６２、６３で分圧されることで検出されて定電圧高電圧電源５５にフィードバックされる。定電圧高電圧電源５５は、そのフィードバックされた電圧に基づいて出力電圧を一定に制御する。
【００４２】
定電圧電源６４は商用電源からのＡＣ１００Ｖの電圧をＡＣ２４Ｖの電圧に変換して定電圧高電圧電源５５に出力し、定電圧電源６６は商用電源からのＡＣ１００Ｖの電圧をＤＣ５Ｖの電圧に変換してシーケンス制御回路６５に電源電圧として印加する。定電圧電源６４の０Ｖ出力端子はグランドＧＮＤに接続され、出力端子ＢがグランドＧＮＤに接続される。
【００４３】
前述した図１３に示すような高電圧電源５４を有する従来の電子写真装置では、定電圧高電圧電源５５は出力している電圧を監視してその結果から出力電圧を一定になるよう制御する必要上、定電圧高電圧電源５５の出力電圧を抵抗６２、６３で分圧して定電圧高電圧回路５５にフィードバックするので、トランス５７で折角、定電圧高電圧回路５５と出力端子Ａ、Ｂとを電気的に分離しているのに、出力端子Ａ、Ｂが定電圧高電圧回路５５→定電圧電源６４の０Ｖライン→ＧＮＤ→定電圧電源６６の０Ｖライン→シーケンス制御回路６５と電気的に接続されてしまう。このため、転写チャージャ３１Ｙの高電圧電極で異常放電（火花放電）が起きると、火花放電により発生したノイズがシーケンス制御回路６５に伝わってシーケンス制御回路６５の誤動作を誘発させる。
【００４４】
そこで、本実施形態では、定電圧電源６６とシーケンス制御回路６５のＯＶラインをＧＮＤに接続しないようにして、高電圧電源７１内の定電圧高電圧回路５５へ電力を供給する定電圧電源６４からシーケンス制御回路６５を電気的に切り離すことで、高電圧電源７１の高圧側とシーケンス制御回路６５を電気的に分離した。
【００４５】
高電圧電源７０は上記高電圧電源７１と同様に構成され、高電圧電源７０内の定電圧高電圧電源はシーケンス制御回路６５からフォトカプラを介して入力されるオン／オフ信号によりオン／オフ制御される。
また、帯電チャージャ２８Ｃ、２８Ｍ、２８Ｋ及び転写チャージャ３１Ｃ、３１Ｍ、３１Ｋに高電圧を印加する高電圧電源は、上記高電圧電源７０、７１と同様な構成で同様に動作する。
【００４６】
このように、第１実施形態によれば、シーケンス制御回路６５により制御される定電圧高電圧電源５５を有する高電圧電源７０、７１を備えた静電式画像形成装置において、高電圧電源７０、７１の高圧側とシーケンス制御回路６５とを電気的に分離したので、高電圧電源側で発生したノイズがシーケンス制御回路に電気的に伝わる経路を断ってシーケンス制御回路のノイズによる誤動作を起きにくくすることができる。
【００４７】
図４（ａ）は本発明の第２実施形態における画像形成部３３Ｙの一部を示し、図４（ｂ）はその転写チャージャ及び高電圧電極用コネクタを示し、図４（ｃ）は高電圧電源付近を示す。この第２実施形態では、上記第１実施形態において、高電圧電源７０、７１の代りに高電圧電源７２、７３が用いられる。高電圧電源７３は、上記高電圧電源７０において、定電圧高電圧電源５５の代りに定電流高電圧電源（定電流制御回路）６９が用いられる。
【００４８】
この定電流高電圧電源６９は、定電圧電源６４からＡＣ２４Ｖの電力が供給され、シーケンス制御回路６５からフォトカプラ５６を介して入力されるオン／オフ信号によりオン／オフ制御される。また、定電流高電圧電源６９は、定電圧電源６４からＡＣ２４Ｖの電力が供給されることにより定電流を発生して出力し、抵抗６２、６３により検出された出力電流値に基づいて出力電流を一定に制御する。
【００４９】
従って、第２実施形態では、第１実施形態と同様に、定電圧電源６６とシーケンス制御回路６５のＯＶラインをＧＮＤに接続しないようにして、高電圧電源７３内の定電流高電圧回路６９へ電力を供給する定電圧電源６４からシーケンス制御回路６５を電気的に切り離すことで、高電圧電源７３の高圧側とシーケンス制御回路６５を電気的に分離している。
【００５０】
高電圧電源７２は、高電圧電源７３と同様に構成され、シーケンス制御回路６５から入力されるオン／オフ信号によりオン／オフ制御される。また、帯電チャージャ２８Ｃ、２８Ｍ、２８Ｋ及び転写チャージャ３１Ｃ、３１Ｍ、３１Ｋに高電圧を印加する高電圧電源は、上記高電圧電源７２、７３と同様な構成で同様に動作する。
【００５１】
この第２実施形態によれば、シーケンス制御回路６５により制御される定電流高電圧電源６９を有する高電圧電源７２、７３を備えた静電式画像形成装置において、高電圧電源７２、７３の高圧側とシーケンス制御回路６５とを電気的に分離したので、高電圧電源側で発生したノイズがシーケンス制御回路に電気的に伝わる経路を断ってシーケンス制御回路のノイズによる誤動作を起きにくくすることができる。
【００５２】
図５（ａ）は本発明の第１参考形態における画像形成部３３Ｙの一部を示し、図５（ｂ）はその転写チャージャ及び高電圧電極用コネクタを示し、図５（ｃ）は高電圧電源付近を示す。この第１参考形態では、上記第１実施形態において、高電圧電源７０、７１の代りに高電圧電源７４、７５が用いられ、定電圧電源６６とシーケンス制御回路６５の０Ｖ出力端子がグランドＧＮＤに接続される。高電圧電源７５は、定電圧電源６４を内蔵して定電圧電源６４が定電圧高電圧電源５５と一体に構成されているとともに、定電圧電源６４と定電圧高電圧電源５５の０Ｖ出力端子、出力端子ＢがグランドＧＮＤに接続され、シーケンス制御回路６５に接続される２つの入力端子以外には外部と電気的に接続される入力端子を無くした。
【００５３】
高電圧電源７４は、高電圧電源７５と同様に構成され、シーケンス制御回路６５から入力されるオン／オフ信号によりオン／オフ制御される。また、帯電チャージャ２８Ｃ、２８Ｍ、２８Ｋ及び転写チャージャ３１Ｃ、３１Ｍ、３１Ｋに高電圧を印加する高電圧電源は、上記高電圧電源７４、７５と同様な構成で同様に動作する。
【００５４】
この第１参考形態の高電圧電源によれば、定電圧電源６４から電力が供給されて定電圧高電圧を出力する定電圧高電圧電源５５を有する高電圧電源７４、７５において、定電圧電源６４を定電圧高電圧電源５５と一体に構成したので、高電圧電源側で発生したノイズがシーケンス制御回路に電気的に伝わる経路を断ってシーケンス制御回路のノイズによる誤動作を起きにくくすることができる。
【００５５】
図６（ａ）は本発明の第２参考形態における画像形成部３３Ｙの一部を示し、図６（ｂ）はその転写チャージャ及び高電圧電極用コネクタを示し、図６（ｃ）は高電圧電源付近を示す。この第２参考形態では、上記第２実施形態において、高電圧電源７２、７３の代りに高電圧電源７６、７７が用いられ、定電圧電源６６とシーケンス制御回路６５の０Ｖ出力端子がグランドＧＮＤに接続される。高電圧電源７７は、定電圧電源６４を内蔵して定電圧電源６４が定電流高電圧電源６９と一体に構成されているとともに、定電圧電源６４と定電流高電圧電源６９の０Ｖ出力端子、出力端子ＢがグランドＧＮＤに接続され、シーケンス制御回路６５に接続される２つの入力端子以外には外部と電気的に接続される入力端子を無くした。
【００５６】
高電圧電源７６は、高電圧電源７７と同様に構成され、シーケンス制御回路６５から入力されるオン／オフ信号によりオン／オフ制御される。また、帯電チャージャ２８Ｃ、２８Ｍ、２８Ｋ及び転写チャージャ３１Ｃ、３１Ｍ、３１Ｋに高電圧を印加する高電圧電源は、上記高電圧電源７６、７７と同様な構成で同様に動作する。
【００５７】
この第２参考形態の高電圧電源によれば、定電圧電源６４から電力が供給されて定電流高電圧を出力する定電流高電圧電源６９を有する高電圧電源７６、７７において、定電圧電源６４を定電流高電圧電源６９と一体に構成したので、高電圧電源側で発生したノイズがシーケンス制御回路に電気的に伝わる経路を断ってシーケンス制御回路のノイズによる誤動作を起きにくくすることができる。
【００５８】
図７（ａ）は本発明の第３実施形態における画像形成部３３Ｙの一部を示し、図７（ｂ）はその転写チャージャ及び高電圧電極用コネクタを示し、図７（ｃ）は高電圧電源付近を示す。この第３実施形態では、上記第１実施形態において、高電圧電源７０、７１の代りに高電圧電源７８、７９が用いられる。高電圧電源７８は、定電圧電源６４を内蔵して定電圧電源６４が定電圧高電圧電源５５と一体に構成されているとともに、定電圧電源６４と定電圧高電圧電源５５の０Ｖ出力端子、出力端子ＢがグランドＧＮＤに接続される。
【００５９】
また、本実施形態では、定電圧電源６６とシーケンス制御回路６５のＯＶラインをＧＮＤに接続しないようにして、高電圧電源７９内の定電圧高電圧回路５５へ電力を供給する定電圧電源６４からシーケンス制御回路６５を電気的に切り離すことで、高電圧電源７９の高圧側とシーケンス制御回路６５を電気的に分離した。
【００６０】
高電圧電源７８は上記高電圧電源７９と同様に構成され、高電圧電源７８内の定電圧高電圧電源はシーケンス制御回路６５からフォトカプラを介して入力されるオン／オフ信号によりオン／オフ制御される。また、帯電チャージャ２８Ｃ、２８Ｍ、２８Ｋ及び転写チャージャ３１Ｃ、３１Ｍ、３１Ｋに高電圧を印加する高電圧電源は、上記高電圧電源７８、７９と同様な構成で同様に動作する。
【００６１】
このように、第３実施形態によれば、定電圧電源６４から電力が供給されてシーケンス制御回路６５により制御される定電圧高電圧電源５５を有する高電圧電源７８、７９を備えた静電式画像形成装置において、定電圧電源６４を定電圧高電圧電源５５と一体に構成し、高電圧電源７８、７９の高圧側とシーケンス制御回路６５とを電気的に分離したので、高電圧電源側で発生したノイズがシーケンス制御回路に電気的に伝わる経路を断ってシーケンス制御回路のノイズによる誤動作を起きにくくすることができる。
【００６２】
図８（ａ）は本発明の第４実施形態における画像形成部３３Ｙの一部を示し、図８（ｂ）はその転写チャージャ及び高電圧電極用コネクタを示し、図８（ｃ）は高電圧電源付近を示す。この第４実施形態では、上記第２実施形態において、高電圧電源７２、７３の代りに高電圧電源８０、８１が用いられる。高電圧電源８１は、定電圧電源６４を内蔵して定電圧電源６４が定電流高電圧電源６９と一体に構成されているとともに、定電圧電源６４と定電流高電圧電源６９の０Ｖ出力端子、出力端子ＢがグランドＧＮＤに接続される。
【００６３】
また、本実施形態では、定電圧電源６６とシーケンス制御回路６５のＯＶラインをＧＮＤに接続しないようにして、高電圧電源８１内の定電流高電圧回路６９へ電力を供給する定電圧電源６４からシーケンス制御回路６５を電気的に切り離すことで、高電圧電源８１の高圧側とシーケンス制御回路６５を電気的に分離した。
【００６４】
高電圧電源８０は上記高電圧電源８１と同様に構成され、高電圧電源８０内の定電流高電圧電源はシーケンス制御回路６５からフォトカプラを介して入力されるオン／オフ信号によりオン／オフ制御される。また、帯電チャージャ２８Ｃ、２８Ｍ、２８Ｋ及び転写チャージャ３１Ｃ、３１Ｍ、３１Ｋに高電圧を印加する高電圧電源は、上記高電圧電源８０、８１と同様な構成で同様に動作する。
【００６５】
このように、第４実施形態によれば、定電圧電源６４から電力が供給されてシーケンス制御回路６５により制御される定電流高電圧電源６９を有する高電圧電源８０、８１を備えた静電式画像形成装置において、定電圧電源６４を定電流高電圧電源６９と一体に構成し、高電圧電源８０、８１の高圧側とシーケンス制御回路６５とを電気的に分離したので、高電圧電源側で発生したノイズがシーケンス制御回路に電気的に伝わる経路を断ってシーケンス制御回路のノイズによる誤動作を起きにくくすることができる。
【００６６】
図９（ａ）は本発明の第５実施形態における画像形成部３３Ｙの一部を示し、図９（ｂ）はその転写チャージャ及び高電圧電極用コネクタを示し、図９（ｃ）は高電圧電源付近を示す。この第５実施形態では、上記第１実施形態において、高電圧電源７０、７１の代りに高電圧電源８２、８３が用いられ、定電圧電源６６とシーケンス制御回路６５のＯＶラインはＧＮＤに接続される。
【００６７】
高電圧電源８３は定電圧電源６４を内蔵して定電圧電源６４を定電圧高電圧電源５５と一体に構成し、定電圧電源６４と定電圧高電圧電源５５の０Ｖ出力端子、出力端子ＢをグランドＧＮＤに接続しないようにして高電圧電源８３の高圧側と高電圧電源８３の１次側回路とを電気的に分離することで、定電圧高電圧電源５５に電力を供給する定電圧電源６４を高電圧電源８３の高圧側から電気的に切り離すことで、高電圧電源８３の出力側とシーケンス制御回路６５を電気的に分離した。
【００６８】
高電圧電源８２は上記高電圧電源８３と同様に構成され、高電圧電源８２内の定電圧高電圧電源はシーケンス制御回路６５からフォトカプラを介して入力されるオン／オフ信号によりオン／オフ制御される。また、帯電チャージャ２８Ｃ、２８Ｍ、２８Ｋ及び転写チャージャ３１Ｃ、３１Ｍ、３１Ｋに高電圧を印加する高電圧電源は、上記高電圧電源８２、８３と同様な構成で同様に動作する。
【００６９】
このように、第５実施形態によれば、シーケンス制御回路６５により制御される定電圧高電圧電源５５を有する高電圧電源８２、８３を備えた静電式画像形成装置において、高電圧電源８２、８３の高圧側と高電圧電源８２、８３の１次側回路とを電気的に分離したので、高電圧電源側で発生したノイズがシーケンス制御回路に電気的に伝わる経路を断ってシーケンス制御回路のノイズによる誤動作を起きにくくすることができる。
【００７０】
図１０（ａ）は本発明の第６実施形態における画像形成部３３Ｙの一部を示し、図１０（ｂ）はその転写チャージャ及び高電圧電極用コネクタを示し、図１０（ｃ）は高電圧電源付近を示す。この第６実施形態では、上記第２実施形態において、高電圧電源７２、７３の代りに高電圧電源８４、８５が用いられ、定電圧電源６６とシーケンス制御回路６５のＯＶラインはＧＮＤに接続される。
【００７１】
高電圧電源８５は定電圧電源６４を内蔵して定電圧電源６４を定電流高電圧電源６９と一体に構成し、定電圧電源６４と定電流高電圧電源６９の０Ｖ出力端子、出力端子ＢをグランドＧＮＤに接続しないようにして高電圧電源８５の高圧側と高電圧電源８５の１次側回路とを電気的に分離することで、定電流高電圧電源６９に電力を供給する定電圧電源６４を高電圧電源８５の高圧側から電気的に切り離すことで、高電圧電源８５の出力側とシーケンス制御回路６５を電気的に分離した。
【００７２】
高電圧電源８４は上記高電圧電源８５と同様に構成され、高電圧電源８４内の定電流高電圧電源はシーケンス制御回路６５からフォトカプラを介して入力されるオン／オフ信号によりオン／オフ制御される。また、帯電チャージャ２８Ｃ、２８Ｍ、２８Ｋ及び転写チャージャ３１Ｃ、３１Ｍ、３１Ｋに高電圧を印加する高電圧電源は、上記高電圧電源８４、８５と同様な構成で同様に動作する。
【００７３】
このように、第６実施形態によれば、シーケンス制御回路６５により制御される定電流高電圧電源６９を有する高電圧電源８４、８５を備えた静電式画像形成装置において、高電圧電源８４、８５の高圧側と高電圧電源８４、８５の１次側回路とを電気的に分離したので、高電圧電源側で発生したノイズがシーケンス制御回路に電気的に伝わる経路を断ってシーケンス制御回路のノイズによる誤動作を起きにくくすることができる。
【００７４】
図１１（ａ）は本発明の第７実施形態における画像形成部３３Ｙの一部を示し、図１１（ｂ）はその高電圧電源付近を示す。この第７実施形態では、上記第５実施形態において、転写チャージャ３１Ｙの代りに中間転写体を兼ねた導電性を有する１次転写ローラ８６Ｙと導電性を有する２次転写ローラ８７Ｙが用いられ、１次転写ローラ８６Ｙと感光ドラム２７Ｙの内側導電体（芯金）との間に高電圧電源８２から高電圧が印加されて１次転写ローラ８６Ｙと２次転写ローラ８７Ｙとの間に高電圧電源８３から高電圧が印加される。
【００７５】
感光ドラム２７Ｙ上のイエロートナー像は１次転写ローラ８６Ｙの表面に静電的に転写され、この１次転写ローラ８６Ｙ上のイエロートナー像はレジストローラ対３８から送り出されて搬送ベルト３６によって搬送されてきた転写紙５０へ２次転写ローラ８７Ｙにより静電的に転写される。
【００７６】
同様に、転写チャージャ３１Ｃ、３１Ｍ、３１Ｋの代りに導電性を有する１次転写ローラ及び導電性を有する２次転写ローラが用いられ、これらの１次転写ローラと感光ドラム２７Ｃ、２７Ｍ、２７Ｋの内側導電体（芯金）との間に高電圧電源８２と同様な高電圧電源から高電圧が印加される。また、他の１次転写ローラと他の２次転写ローラとの各間には高電圧電源８３と同様な高電圧電源から高電圧が印加される。
【００７７】
感光ドラム２７Ｃ、２７Ｍ、２７Ｋ上のシアントナー像、マゼンダトナー像、ブラックトナー像はそれぞれ１次転写ローラの表面に静電的に転写され、これらの１次転写ローラ上のシアントナー像、マゼンダトナー像、ブラックトナー像はそれぞれ搬送ベルト３６上の転写紙５０へイエロートナー像と重ね合わせて２次転写ローラにより静電的に転写される。
【００７８】
この第７実施形態では、上記第５実施形態と同様に、高電圧電源８３は定電圧電源６４を内蔵して定電圧電源６４を定電圧高電圧電源５５と一体に構成し、定電圧電源６４と定電圧高電圧電源５５の０Ｖ出力端子、出力端子ＢをグランドＧＮＤに接続しないようにして高電圧電源８３の高圧側と高電圧電源８３の１次側回路とを電気的に分離することで、定電圧高電圧電源５５に電力を供給する定電圧電源６４を高電圧電源８３の高圧側から電気的に切り離すことで、高電圧電源８３の出力側とシーケンス制御回路６５を電気的に分離している。
高電圧電源８２は高電圧電源８３と同様に構成され、帯電チャージャ２８Ｃ、２８Ｍ、２８Ｋ及び転写チャージャ３１Ｃ、３１Ｍ、３１Ｋに高電圧を印加する高電圧電源は高電圧電源８２、８３と同様に構成されている。
【００７９】
ところで、静電式画像形成装置は、装置によっては複数の高電圧電源からチャージャやローラにそれぞれ高電圧を印加する場合に複数の高電圧電源の０Ｖ出力端子（ベース）を共通にしたくない場合がある。これは、例えば、感光ドラムから中間転写体に１度、現像済画像を転写（１次転写）し、その後、中間転写体から転写紙に画像を転写（２次転写）する場合である。
【００８０】
一般に静電式画像形成装置は、シャーシや感光ドラムの芯金をＧＮＤとする。まず、感光ドラムから中間転写体に１度、現像済画像を転写する為に感光ドラムと中間転写体との間に例えば３００Ｖの電位差が必要である。その後、中間転写体から転写紙へ２次転写ローラにより画像を転写する為に例えば３５μＡの電流（２次転写電流）が必要であり、この３５μＡの電流を流す為に例えば中間転写体と２次転写ローラとの間に３５０Ｖの電位差が必要である。この場合、従来は、ＧＮＤと中間転写体に高電圧電源から３００Ｖを印加し、ＧＮＤと２次転写ローラとの間に６５０Ｖ（３００Ｖ＋３５０Ｖ）を印加していた。
【００８１】
この時、中間転写体からＧＮＤに流れ込む電流（１次転写電流）は転写紙の種類や画像の有無によって変化する。２次転写ローラから流れ込む２次転写電流は転写紙を突き抜けて中間転写体→感光ドラム→ＧＮＤに流れ込むが、中間転写体→感光ドラム→ＧＮＤの経路は１次転写電流と２次転写電流の両方が流れ込む為、１次転写電流が増減すると、２次転写電流を一定に保つ為に２次転写電圧が変動する不具合が生じる。
【００８２】
中間転写体→感光ドラム→ＧＮＤの経路には１次転写電流だけが流れる様にすれば上記不具合が解消する。その為に２次転写用の高電圧電源の０Ｖ出力端子（ベース）をＧＮＤから切り離して中間転写体に接続し、２次転写ローラと中間転写体との間に２次転写電流を印加すれば、上記不具合が解消できる。
【００８３】
第７実施形態によれば、高電圧電源８２、８３の高圧側とシーケンス制御回路６５とを電気的に分離したので、高電圧電源側で発生したノイズがシーケンス制御回路に電気的に伝わる経路を断ってシーケンス制御回路のノイズによる誤動作を起きにくくすることができる。さらに、高電圧電源８２、８３の出力を１次転写ローラ８６Ｙと２次転写ローラ８７Ｙとの間に印加するようにしたので、１次転写電流の増減により２次転写電圧が変動するという不具合を解消することができ、複数の高電圧電源の０Ｖ出力端子を共通にしたくない場合にも対応することができる。
【００８４】
図１２（ａ）は本発明の第８実施形態における画像形成部３３Ｙの一部を示し、図１２（ｂ）はその高電圧電源付近を示す。この第８実施形態では、上記第６実施形態において、上記第７実施形態と同様に、転写チャージャ３１Ｙの代りに中間転写体を兼ねた導電性を有する１次転写ローラ８６Ｙと導電性を有する２次転写ローラ８７Ｙが用いられ、１次転写ローラ８６Ｙと感光ドラム２７Ｙの内側導電体（芯金）との間に高電圧電源８４から高電圧が印加されて１次転写ローラ８６Ｙと２次転写ローラ８７Ｙとの間に高電圧電源８５から高電圧が印加される。
【００８５】
上記第７実施形態と同様に、感光ドラム２７Ｙ上のイエロートナー像は１次転写ローラ８６Ｙの表面に静電的に転写され、この１次転写ローラ８６Ｙ上のイエロートナー像はレジストローラ対３８から送り出されて搬送ベルト３６によって搬送されてきた転写紙５０へ２次転写ローラ８７Ｙにより静電的に転写される。
【００８６】
同様に、転写チャージャ３１Ｃ、３１Ｍ、３１Ｋの代りに中間転写体を兼ねた導電性を有する１次転写ローラ及び導電性を有する２次転写ローラが用いられ、これらの１次転写ローラと感光ドラム２７Ｃ、２７Ｍ、２７Ｋの内側導電体（芯金）との間に高電圧電源８４と同様な高電圧電源から高電圧が印加される。また、他の１次転写ローラと他の２次転写ローラとの各間には高電圧電源８５と同様な高電圧電源から高電圧が印加される。
【００８７】
感光ドラム２７Ｃ、２７Ｍ、２７Ｋ上のシアントナー像、マゼンダトナー像、ブラックトナー像はそれぞれ１次転写ローラの表面に静電的に転写され、これらの１次転写ローラ上のシアントナー像、マゼンダトナー像、ブラックトナー像はそれぞれ搬送ベルト３６上の転写紙５０へイエロートナー像と重ね合わせて２次転写ローラにより静電的に転写される。
【００８８】
この第８実施形態では、上記第６実施形態と同様に、高電圧電源８５は定電圧電源６４を内蔵して定電圧電源６４を定電流高電圧電源６９と一体に構成し、定電圧電源６４と定電流高電圧電源６９の０Ｖ出力端子、出力端子ＢをグランドＧＮＤに接続しないようにして高電圧電源８５の高圧側と高電圧電源８５の１次側回路とを電気的に分離することで、定電流高電圧電源６９に電力を供給する定電圧電源６４を高電圧電源８５の高圧側から電気的に切り離すことで、高電圧電源８５の出力側とシーケンス制御回路６５を電気的に分離している。
高電圧電源８４は高電圧電源８５と同様に構成され、帯電チャージャ２８Ｃ、２８Ｍ、２８Ｋ及び転写チャージャ３１Ｃ、３１Ｍ、３１Ｋに高電圧を印加する高電圧電源は高電圧電源８４、８５と同様に構成されている。
【００８９】
この第８実施形態によれば、高電圧電源８４、８５の高圧側とシーケンス制御回路６５とを電気的に分離したので、高電圧電源側で発生したノイズがシーケンス制御回路に電気的に伝わる経路を断ってシーケンス制御回路のノイズによる誤動作を起きにくくすることができる。さらに、高電圧電源８４、８５の出力を１次転写ローラ８６Ｙと２次転写ローラ８７Ｙとの間に印加するようにしたので、１次転写電流の増減により２次転写電圧が変動するという不具合を解消することができ、複数の高電圧電源の０Ｖ出力端子を共通にしたくない場合にも対応することができる。
なお、本発明は、上記実施形態に限定されるものではなく、例えばプリンタやファクシミリ等の静電式画像形成装置に適用することができる。
【００９０】
【発明の効果】
以上のように請求項１、２に係る発明によれば、高電圧電源側で発生したノイズがシーケンス制御回路に電気的に伝わる経路を断ってシーケンス制御回路のノイズによる誤動作を起きにくくすることができる。
【００９１】
請求項３、４に係る発明によれば、高電圧電源側で発生したノイズがシーケンス制御回路に電気的に伝わる経路を断ってシーケンス制御回路のノイズによる誤動作を起きにくくすることができ、さらに、複数の高電圧電源の０Ｖ出力端子を共通にしたくない場合にも対応することができる。
【図面の簡単な説明】
【図１】  （ａ）は本発明の第１実施形態における画像形成部３３Ｙの一部を示す概略図、（ｂ）は同第１実施形態の転写チャージャ及び高電圧電極用コネクタを示す斜視図、（ｃ）は同第１実施形態の高電圧電源付近を示す回路図である。
【図２】  同第１実施形態を示す断面図である。
【図３】  同実施形態における画像信号の流れを示すブロック図である。
【図４】  （ａ）は本発明の第２実施形態における画像形成部３３Ｙの一部を示す概略図、（ｂ）は同第２実施形態の転写チャージャ及び高電圧電極用コネクタを示す斜視図、（ｃ）は同第２実施形態の高電圧電源付近を示す回路図である。
【図５】  （ａ）は本発明の第１参考形態における画像形成部３３Ｙの一部を示す概略図、（ｂ）は同第１参考形態の転写チャージャ及び高電圧電極用コネクタを示す斜視図、（ｃ）は同第１参考形態の高電圧電源付近を示す回路図である。
【図６】  （ａ）は本発明の第２参考形態における画像形成部３３Ｙの一部を示す概略図、（ｂ）は同第２参考形態の転写チャージャ及び高電圧電極用コネクタを示す斜視図、（ｃ）は同第２参考形態の高電圧電源付近を示す回路図である。
【図７】  （ａ）は本発明の第３実施形態における画像形成部３３Ｙの一部を示す概略図、（ｂ）は同第３実施形態の転写チャージャ及び高電圧電極用コネクタを示す斜視図、（ｃ）は同第３実施形態の高電圧電源付近を示す回路図である。
【図８】  （ａ）は本発明の第４実施形態における画像形成部３３Ｙの一部を示す概略図、（ｂ）は同第４実施形態の転写チャージャ及び高電圧電極用コネクタを示す斜視図、（ｃ）は同第４実施形態の高電圧電源付近を示す回路図である。
【図９】  （ａ）は本発明の第５実施形態における画像形成部３３Ｙの一部を示す概略図、（ｂ）は同第５実施形態の転写チャージャ及び高電圧電極用コネクタを示す斜視図、（ｃ）は同第５実施形態の高電圧電源付近を示す回路図である。
【図１０】  （ａ）は本発明の第６実施形態における画像形成部３３Ｙの一部を示す概略図、（ｂ）は同第６実施形態の転写チャージャ及び高電圧電極用コネクタを示す斜視図、（ｃ）は同第６実施形態の高電圧電源付近を示す回路図である。
【図１１】  （ａ）は本発明の第７実施形態における画像形成部３３Ｙの一部を示す概略図、（ｂ）は同第７実施形態の高電圧電源付近を示す回路図である。
【図１２】  （ａ）は本発明の第８実施形態における画像形成部３３Ｙの一部を示す概略図、（ｂ）は同第８実施形態の高電圧電源付近を示す回路図である。
【図１３】  （ａ）は従来の電子写真装置の一部を示す該略図、（ｂ）は同電子写真装置の転写チャージャ及び高電圧電極用コネクタを示す斜視図、（ｃ）は同電子写真装置の高電圧電源付近を示す回路図である。
【図１４】  （ａ）は従来の他の電子写真装置の一部を示す該略図、（ｂ）は同電子写真装置の転写チャージャ及び高電圧電極用コネクタを示す斜視図、（ｃ）は同電子写真装置の高電圧電源付近を示す回路図である。
【符号の説明】
５５      定電圧高電圧電源
６４      定電圧電源
６５      シーケンス制御回路
６６      定電圧電源
６９      定電流高電圧電源
７０〜８５      高電圧電源
Ａ、Ｂ      出力端子
８６Ｙ      １次転写ローラ
８７Ｙ      ２次転写ローラ
【図１】
0004917222.tif 000002
【図２】
0004917222.tif 000003
【図３】
0004917222.tif 000004
【図４】
0004917222.tif 000005
【図５】
0004917222.tif 000006
【図６】
0004917222.tif 000007
【図７】
0004917222.tif 000008
【図８】
0004917222.tif 000009
【図９】
0004917222.tif 000010
【図１０】
0004917222.tif 000011
【図１１】
0004917222.tif 000012
【図１２】
0004917222.tif 000013
【図１３】
0004917222.tif 000014
【図１４】
0004917222.tif 000015